(57)【要約】【課題】光ディスクの記録・再生中にフォーカスサーボが外れた場合、対物レンズだけでなく、対物レンズを保護する部材もディスク表面に接触することがないようにして、対物レンズが傷ついたり、ディスク表面に対物レンズプロテクタの摺動付着痕が残留したりすることを回避し、もって光ディスクの記録・再生状態を劣化させないことを可能にした光ディスク装置を提供する。【解決手段】対物レンズホルダと、対物レンズホルダに固定配置される対物レンズと、ディスクの回転時において、当該ディスクの回転によって自身とディスクとの隙間に流れる微小な空気層によって、ディスクから微小量浮上するように構成され、対物レンズがディスク側に異常接近した場合に、対物レンズホルダを直接的または間接的に支えて、対物レンズがディスク表面に接触しないように構成されている対物レンズプロテクタ板とを備えた光ディスク装置を提供する。【選択図】図１
2010092538.tif 000002
【特許請求の範囲】
【請求項１】
対物レンズホルダと、
対物レンズホルダに固定配置される対物レンズと、
ディスクの回転時において、当該ディスクの回転によって自身とディスクとの隙間に流れる微小な空気層によって、ディスクから微小量浮上するように構成され、
対物レンズがディスク側に異常接近した場合に、対物レンズホルダを直接的または間接的に支えて、対物レンズがディスク表面に接触しないように構成されている対物レンズプロテクタ板と、
を備えた光ディスク装置。
【請求項２】
対物レンズホルダは、
対物レンズがディスクに異常接近した場合に、対物レンズプロテクタ板に当接するように構成された第一対物レンズストッパを有する請求項１に記載の光ディスク装置。
【請求項３】
対物レンズプロテクタ板は、
対物レンズがディスクに異常接近した場合に、対物レンズホルダに当接するように構成された第二対物レンズストッパを有する請求項１に記載の光ディスク装置。
【発明の詳細な説明】
【技術分野】
【０００１】
本発明は、光ディスク装置に関し、特に、対物レンズがディスクに異常接近した場合に対物レンズがディスク表面に接触しないための部材を備える光ディスク装置に関する。
【背景技術】
【０００２】
光ディスク装置においては、フォーカスサーボ（対物レンズの焦点をディスクの記録層に合わせるための制御）を適切に行うために、対物レンズを弾性支持するための支持機構が設けられる。
【０００３】
図６は、従来の光ディスク装置における対物レンズの支持機構の一例を示す概念図である。なお、本図は当該支持機構を対物レンズの略中心を通る光軸方向（垂直方向）の断面で示したものである（後述の図７、図１、図２、図８も同様である）。本図に示す例では、対物レンズ０６０１が対物レンズホルダ０６０２に固定配置されている。対物レンズホルダは、ハウジング０６０３に保持されている。ハウジングは、対物レンズホルダ等の光ピックアップ関連部材を保持するために光ディスク装置本体（図示を省略）に固定配置される部材である。このハウジングには板ばね、ワイヤサスペンションなどからなる弾性支持部材０６０４が備えられ、対物レンズホルダは、この弾性支持部材に取り付けられる。従って、対物レンズホルダはハウジングに弾性的に保持される。この弾性保持部材は光軸方向（本図の矢印Ａ‐Ａ´方向）に微小量変位可能になっている。これにより、対物レンズと光ディスク０６０７との間のフォーカスサーボのための対物レンズの変位を実現することができるようになっている。なお、対物レンズホルダにはフォーカシングおよびトラッキングのためのコイル０６０５が固着されている。また、ハウジングには、マグネット０６０６が固着され、これにより磁界の発生が行われる。
【０００４】
ところで、光ディスク装置における記録・再生時には、フォーカスサーボを適正に行うために対物レンズとディスク表面との距離はほぼ一定に保たれるようになっている。しかしながら、光ディスク装置が光ディスクの記録・再生中に外部からの振動等を受けて、フォーカスサーボが外れた場合、対物レンズの位置制御ができなくなり、対物レンズがディスクに対して異常接近することが起こり得る。このとき、対物レンズがディスクに接触してしまうと、対物レンズの表面が傷つけられてしまい、正常な記録・再生ができなくなるおそれがある。そこで、フォーカスサーボが外れた場合でも対物レンズとディスクが接触しないようにするため、従来から、対物レンズホルダの対物レンズの近傍部に対物レンズ面より高い突起状の対物レンズプロテクタを設けるという方法が用いられてきた（例えば、特許文献１参照）。図６に示した対物レンズの支持機構においても、対物レンズ０６０１の近傍部にこのような対物レンズプロテクタ０６０８が設けられている例が示されている。
【０００５】
図７も、従来の光ディスク装置における対物レンズの支持機構の一例を示す概念図であるが、本図では、図６に示した支持機構においてフォーカスサーボが外れた結果、対物レンズホルダ０７０２及びこれに固定配置されている対物レンズ０７０１がディスク０７０７に対して異常接近した状態を示している。本図に示すように、対物レンズとディスクの接触回避のために対物レンズプロテクタを設ける方法によれば、対物レンズがディスクに異常接近しても、対物レンズがディスク表面に接触する前に対物レンズプロテクタ０７０９がディスクに接触し、対物レンズがそれ以上にディスク表面に接近することはないので、対物レンズがディスクに接触することはなく、従って対物レンズの表面が傷つけられてしまうという事態は起こらないで済む。
【特許文献１】特開平８‐２８７４７７号公報
【発明の開示】
【発明が解決しようとする課題】
【０００６】
しかしながら、かかる従来の方法によった場合、フォーカスサーボが復帰するまでの間は対物レンズプロテクタとディスク表面が一時的に接触したり断続的に接触したりといった状態が継続することになる。このため、この間に対物レンズプロテクタの先端部が回転するディスクに断続的に接触し続けることによる摺動付着痕がディスク表面に点々と残留してしまう。このディスク表面の摺動付着痕も正常な記録・再生の妨げとなるものであるため、その後、ディスクを用いて記録・再生を行う場合には、改めて再生あるいは記録する際にディスク表面から摺動付着痕をきれいに拭きとる必要があり、仮に、その拭きとり作業を忘れた場合、再生・記録状態に影響を及ぼして再生・記録状態が劣化するという問題があった。
【０００７】
そこで、本発明の解決すべき課題は、光ディスク装置において光ディスクの記録・再生中にフォーカスサーボが外れた場合、対物レンズだけでなく、対物レンズプロテクタなどの対物レンズを保護する部材も当該記録・再生中にディスク表面に接触することがないようにして、対物レンズが傷ついたり、ディスク表面に対物レンズプロテクタの摺動付着痕が残留したりすることを回避し、もって光ディスクの記録・再生状態を劣化させないことを可能にした光ディスク装置を提供することにある。
【課題を解決するための手段】
【０００８】
以上の課題を解決するため、本発明では、対物レンズの周辺に略平面状の対物レンズプロテクタ板を設け、ディスクの回転動作によってこの対物プロテクタ板とディスクとの隙間に微小な空気層を形成することによって、フォーカスサーボが外れて対物レンズがディスク側に異常接近しても、対物レンズがディスク表面に接触しないようにするとともに、対物レンズを保護する部材もディスク表面に接触することがないように構成した。
即ち、本発明のうち、第一の発明は、対物レンズホルダと、対物レンズホルダに固定配置される対物レンズと、ディスクの回転時において、当該ディスクの回転によって自身とディスクとの隙間に流れる微小な空気層によって、ディスクから微小量浮上するように構成され、対物レンズがディスク側に異常接近した場合に、対物レンズホルダを直接的または間接的に支えて、対物レンズがディスク表面に接触しないように構成されている対物レンズプロテクタ板とを備えた光ディスク装置を提供する。
また、第二の発明は、第一の発明を基礎として、対物レンズホルダは、対物レンズがディスクに異常接近した場合に、対物レンズプロテクタ板に当接するように構成された第一対物レンズストッパを有する光ディスク装置を提供する。
また、第三の発明は、第一の発明を基礎として、対物レンズプロテクタ板は、対物レンズがディスクに異常接近した場合に、対物レンズホルダに当接するように構成された第二対物レンズストッパを有する光ディスク装置を提供する。
【発明の効果】
【０００９】
本発明により、光ディスク装置において光ディスクの記録・再生中にフォーカスサーボが外れた場合、対物レンズだけでなく、対物レンズプロテクタなどの対物レンズを保護する部材も当該記録・再生中にはディスク表面に接触することがないようにして、対物レンズが傷ついたり、ディスク表面に対物レンズプロテクタの摺動付着痕が残留したりすることを回避し、もって光ディスクの記録・再生状態を劣化させないことを可能にした光ディスク装置を提供することが可能となる。
【発明を実施するための最良の形態】
【００１０】
以下に、本発明の実施例を説明する。実施例と請求項の相互の関係は以下のとおりである。実施例１は主に請求項１、請求項２などに関し、実施例２は主に請求項３などに関する。なお、本発明はこれら実施例に何ら限定されるものではなく、その要旨を逸脱しない範囲において、種々なる態様で実施しうる。
【実施例１】
【００１１】
<概要>
本実施例の光ディスク装置は、対物レンズの周辺に略平面状の対物レンズプロテクタ板を設け、ディスクの回転動作によってこの対物プロテクタ板とディスクとの隙間に微小な空気層を形成することによって、フォーカスサーボが外れて対物レンズがディスク側に異常接近しても、対物レンズがディスク表面に接触しないようにするとともに、対物レンズを保護する部材もディスク表面に接触することがないように構成した点に特徴がある。
【００１２】
<構成>
（光ディスク装置）
図１は、本実施例の光ディスク装置における対物レンズの支持機構の一例を示す概念図である。以下、本図を用いて、先に図６を用いて説明した従来の光ディスク装置における対物レンズの支持機構と対比しつつ、本実施例の光ディスク装置の構成について説明する。
【００１３】
図１に示すように、本実施例の光ディスク装置は、対物レンズホルダ０１０２と、対物レンズ０１０１と、対物レンズプロテクタ板０１０９とを備える。対物レンズは対物レンズホルダに固定配置される。このほか、本実施例の光ディスク装置は、本図および次段落以降に示すようなハウジングその他の対物レンズの支持に必要な部材を有していてもよい。
なお、本図は光ディスク装置のうち対物レンズ支持機構部分を示したものであるので図示は省略したが、本実施例の光ディスク装置には、装置の機能を発揮するために通常必要な部材が備えられる。
【００１４】
本図の例では、対物レンズホルダはハウジング０１０３に保持されている。このハウジングには弾性支持部材０１０４が備えられ、対物レンズホルダは、この弾性支持部材に取り付けられて弾性的に保持される。また、ハウジングは光ディスク装置本体（図示を省略）に配置されている。
以上のような構成は、対物レンズプロテクタ板を備える点を除き、図６に示した従来の光ディスク装置の場合と同様である。
また、本図の例において、弾性保持部材が光軸方向（本図の矢印Ａ‐Ａ´方向）に微小量変位可能になっている点、対物レンズホルダにはコイル０１０６が固着されている点、ハウジングにはマグネット０１０５が固着されこれにより磁界の発生が行われる点、さらには、これにより対物レンズと光ディスク０１０７との間のフォーカスサーボのための対物レンズの変位を実現することができるようになっている点も、図６に示した従来の光ディスク装置の構成と同様である。
【００１５】
（対物レンズプロテクタ板）
（具体的構成）
これに対して、本実施例の光ディスク装置は、従来の光ディスク装置と異なり、対物レンズの周辺に対物レンズプロテクタ板０１０９を備えている点に特徴がある。
対物レンズプロテクタ板は、ディスクの回転時において、当該ディスクの回転によって自身とディスクとの隙間に流れる微小な空気層によって、ディスクから微小量浮上するように構成され、対物レンズがディスク側に異常接近した場合に、対物レンズホルダを直接的または間接的に支えて、対物レンズがディスク表面に接触しないように構成されている。
ここで「対物レンズホルダを『直接的に』支える」とは、対物レンズホルダが対物レンズプロテクタ板に当接し、この状態で、対物レンズプロテクタ板が、対物レンズホルダのディスク表面への接触を回避するための支持動作を行うことをいう。これに対して「対物レンズホルダを『間接的に』支える」とは、対物レンズホルダが対物レンズプロテクタ板には当接せずに別部材（対物レンズプロテクタ板や対物レンズホルダ以外の構成部分）に当接し、この別部材が対物レンズプロテクタ板に当接した状態で、対物レンズプロテクタ板が対物レンズホルダのディスク表面への接触を回避するための支持動作を行うことをいう（平たく言えば、対物レンズを保護する部材を別部材とし、対物レンズプロテクタ板がこの別部材を介して対物レンズホルダを支持するようにしたものである）。かかる別部材としては、例えば対物レンズホルダと対物レンズプロテクタ板の間に取り付けられたコイルばねや対物レンズホルダ・対物レンズプロテクタ板の双方に取り付けられた互いに反発し合う磁石などが考えられる。なお、こうした別部材を用いる代わりに、例えば対物レンズホルダおよび対物レンズプロテクタ板自体を帯磁させて互いに反発し合うようにしてもよい。
【００１６】
対物レンズプロテクタ板は、略平面状の板であり、図１に示すように、対物レンズホルダ０１０２とディスク０１０７の間にディスクとほぼ平行に位置する状態で配置される。ただし、厳密にいえば、対物レンズプロテクタ板には対物レンズがディスクを直接見通すことができるための穴０１０９ａが穿たれているので、対物レンズホルダ０１０２とディスク０１０７の間のうちこの部分には対物レンズプロテクタ板が存在していない状態となっている。また、対物レンズプロテクタ板は、後述のように好適には弾性部材で形成されており、例えば一方の端部０１０９ｂがハウジング０１０３の上端に取り付けられ、他方の端部が上方向（矢印Ａ方向）へ持ち上がろうとする付勢力が働く状態で保持される。この結果、ディスクが回転して空気層がディスクとの隙間に流入することに伴い、対物レンズプロテクタ板は、当該一方の端部を中心に光軸方向に多少たわむように変形可能になっている。このように構成された対物レンズプロテクタ板を含む光ディスク装置の支持機構の具体的な形状の一例については、別図を用いて後述する。
【００１７】
対物レンズプロテクタ板は、ディスク停止時においては、上述の付勢力によって他方の端部付近がディスクに当接した状態になっている。一方、図１はディスクが回転中の状態を示しているが、ディスク回転時には、当該ディスクの回転によって、矢印Ｂに示すように対物レンズプロテクタ板とディスクとの隙間に空気が流れて微小な空気層が形成される。この結果、対物レンズプロテクタ板はディスクから微小量浮上するように構成される。このため、対物レンズプロテクタ板の形状は、ディスクとの隙間に空気が流れやすい形状であることが望ましい。本図の例は、対物レンズプロテクタ板の端部０１０９ｃがやや下方側（対物レンズ側）に折り曲げられてディスクとの隙間に空気が流れやすい好適な形状をした例を示している（対物レンズプロテクタ板の具体的形状の一例については図３を用いて後述する）。
【００１８】
図２も、本実施例の光ディスク装置における対物レンズの支持機構の一例を示す概念図であるが、本図では、図１に示した支持機構においてフォーカスサーボが外れた結果、対物レンズホルダ０２０２およびこれに固定配置されている対物レンズ０２０１がディスク０２０７に対して異常接近した状態を示している。なお、本図の例では、対物レンズホルダにおける対物レンズの近傍部に図７に示した従来例における対物レンズプロテクタと同様の突起状の対物レンズプロテクタ（本実施例では「第一対物レンズストッパ」０２０８という）が備えられている（この第一対物レンズストッパについては改めて後述する）。
【００１９】
図７に示した従来例では、ディスク回転時にフォーカスサーボが外れて対物レンズがディスクに異常接近した場合、対物レンズがディスクに接触する前に対物レンズプロテクタがディスクに接触することによって対物レンズを保護していたが、本実施例では、図２に示すように、対物レンズプロテクタ板が設けられているため、第一対物レンズストッパがディスクではなく対物レンズプロテクタ板に接触するようになっている。このため、従来例と同様に対物レンズが傷つけられないように保護することができるだけでなく、対物レンズを保護する部材がディスクに接触してディスク表面に摺動付着痕が残留するという事態も防ぐことができる。
【００２０】
さらに、フォーカスサーボが外れた状態になっても、ディスクが回転し続けているため、対物レンズプロテクタ板とディスクとの隙間には依然として微小な空気層が形成された状態が保たれる。このため、対物レンズプロテクタ板とディスクが接触することもない。
以上の結果、フォーカスサーボが外れた状態になっても、ディスク表面には対物レンズ、第一対物レンズストッパおよび対物レンズプロテクタ板を含む何らの部材も接触することがないようにすることが可能となった。この結果、フォーカスサーボが外れてもディスク表面には何らの痕跡も生じないこととなり、正常な記録・再生が何ら妨げられずに済むことが可能となった。
なお、第一対物レンズストッパは必ずしも備えられていなくてもよいが、この点については、第一対物レンズストッパの構成について説明の中で後述する。
【００２１】
（対物レンズプロテクタ板をディスクの回転時にディスクから微小量浮上するように構成する理由）
ところで、対物レンズプロテクタ板がディスク回転時にディスクに接触しないようにするためには、本発明のように対物レンズプロテクタ板がディスクの回転時において当該ディスクの回転によって自身とディスクとの隙間に流れる微小な空気層によってディスクから微小量浮上するようにする構成のほかに、対物レンズプロテクタ板をハウジングに固定配置する構成によることも考えられる。即ち、対物レンズプロテクタ板が当初（ディスク停止時）からディスクに接触しないような位置関係となるようにハウジングに固定配置することで、対物レンズプロテクタ板がディスク回転時にディスクに接触しないようにすることも可能である。しかし、本発明では、後者の方法（対物レンズプロテクタ板をハウジングに固定配置する構成）を採らずに、前者の方法（対物レンズプロテクタ板がディスクの回転時において当該ディスクの回転によって自身とディスクとの隙間に流れる微小な空気層によってディスクから微小量浮上するようにする構成）によって対物レンズプロテクタ板がディスク回転時にディスクに接触しないようにしている。その理由は以下のとおりである。
【００２２】
まず、一つの前提として、外部からの振動等によりフォーカスサーボが外れて対物レンズホルダがディスクに異常接近した場合の対物レンズホルダ・ディスク間の距離は、光ディスク装置の構造上例えば０．５ｍｍ程度の極めて小さい距離であるということがある。このため、対物レンズプロテクタ板は対物レンズホルダがディスクに異常接近した場合にこの距離で対物レンズホルダのディスクへの接触を阻止しなければならず、従ってディスクからこの距離の位置に配置される必要がある。しかしながら、もう一つの前提として、ハウジングとディスク間の距離をこの程度の距離に保つことは技術的に困難もしくはコストがかかり現実的ではないということがある。即ち、対物レンズプロテクタ板をハウジングに固定配置したのでは、対物レンズプロテクタ板とディスクの距離をこの距離に保つことは困難であるという問題がある。
これに対して、本発明の構成によれば、ディスク停止時には対物レンズプロテクタ板がディスクに接触していても何ら差し支えなく、ディスク回転時に対物レンズプロテクタ板が自身とディスクとの隙間に流れる微小な空気層によってディスクから微小量浮上した際の自身とディスクの距離がこの程度の距離に半固定されていればよい。また、対物レンズプロテクタ板のハウジングへの取付け位置はこのような微小な距離である必要はなく、相対的により大きな距離（例えば当該取付け位置とディスクとの距離が１ｍｍ程度の距離）でよい。このように、ディスク回転時に対物レンズプロテクタ板をディスクから微小量浮上した位置に半固定することや対物レンズプロテクタ板のハウジングへの取付け位置をディスクから１ｍｍ程度の距離とすることは、技術的にも容易であるし、コストもかからない。
【００２３】
図８は、このように構成された本発明の光ディスク装置の支持機構の具体的形状の一例を示す図であって、対物レンズプロテクタ板の具体的形状の一例やディスクとの位置関係、さらにはハウジングに対する取付け位置をも含めて示したものである。このうち、（ａ）はディスク停止時における状態、（ｂ）はディスク回転時における状態を示す。
図８（ａ）において、対物レンズプロテクタ板０８０９は、その一方の端部０８０９ｂがハウジング０８０３の上端に取り付けられている。また、本図の対物レンズプロテクタ板は、一方の端部付近もやや下方側に折り曲げられた形状をしている。そして、対物レンズプロテクタ板は好適には弾性部材により形成され、他方の端部０８０９ｃ付近において上に持ち上がろうとする付勢力が働く。このため、本図に示すディスク停止状態においては、対物レンズプロテクタ板はディスクに接触している状態となる。
また、対物レンズプロテクタ板のハウジングへの取付け位置は、ディスクからＬ１の距離である。これは上述のように当該取付けが技術的に容易な位置に設計されている例を示している。
【００２４】
次に、図８（ｂ）に示すように、ディスク回転時には、矢印Ｂ方向に空気層が流入するため、対物レンズプロテクタ板０８０９は、他方の端部０８０９ｃが矢印Ａ´方向に下がり、この空気層によって対物レンズプロテクタ板全体が微小量浮遊した状態となる。その際のディスクからの距離はＬ２の距離であり、これは上述のように対物レンズプロテクタ板を自身とディスクとの隙間に流れる微小な空気層によってディスクから微小量浮上した距離に半固定したもので、やはり技術的に容易に設計できる位置であることを示している。
【００２５】
（対物レンズプロテクタ板の具体的形状の一例）
図３は、本実施例における対物レンズプロテクタ板の具体的形状の一例を示す斜視図である。このうち、（ａ）はディスク側（上方側）の斜め方向から見た状態を示し、（ｂ）対物レンズ側（下方側）の斜め方向から見た状態を示す。
これらに示すように、対物レンズプロテクタ板０３０９は、略平面状の板であり、好適には端部がやや下方側（対物レンズ側）に折り曲げられてディスクとの隙間に空気が流れやすい形状をしている。なお、略中央部に穿たれた穴０３０９ａは、対物レンズがディスクを直接見通すことができるための領域である。この穴は、その目的に照らし対物レンズの直径よりも大きい穴である。なお、本図の例とは異なるが、この穴がディスク回転時に乱流を誘発することを防止するため、一枚の対物レンズプロテクタ板に穴を設ける構成に代えて、対物レンズプロテクタ板を二枚に分けて配置し、両板の隙間領域から対物レンズがディスクを直接見通すことができるようにしてもよい。
対物レンズプロテクタ板の寸法・大きさには特に限定はない。ただし、第一対物レンズストッパや対物レンズホルダのディスクへの接触を阻止できるのに必要な範囲を占めていることが当然必要であり、そのような寸法・大きさに設計される。
【００２６】
また、対物レンズプロテクタ板の材質にも特に限定はない。ただし、ディスク回転時にディスクとの隙間に空気が流入して空気層が形成できるものであることが求められる。そこで、対物レンズプロテクタ板は、例えばそれ自体が弾性部材で形成されており、ディスクが静止状態から回転状態に移行するとその弾性によってディスクとの接触状態から浮遊状態となるように構成されるものが望ましい。あるいは、例えば対物レンズプロテクタ板のハウジングに対する取り付け部分がヒンジ構造になっており、ディスクの回転により生じる空気流によって対物レンズプロテクタ板が回転することでその隙間に空気層が形成されるような構成としてもよい。
さらに、対物レンズプロテクタ板の形状も略平面状であればよく、特に具体的形状に限定はないが、既述のようにディスクとの隙間に空気が流れやすい形状であることが望ましい。本図の例も、図１などに示したものと同様、対物レンズプロテクタ板の端部がやや下方側（対物レンズ側）に折り曲げられた好適な形状をした例である。本図には示されていないが、図８の例と同様に反対側の端部もやや下方側に折り曲げられた形状をしていてもよい。なお、本図の例は、平面図に現れる形状が略矩形のものを示したが、これにも限定はなく、例えば略多角形、略楕円形といったものでもよい。結局、対物レンズプロテクタ板の寸法・大きさ、材質、具体的な形状は、その機能を好適に発揮できるように適宜設計される事項である。
【００２７】
（第一対物レンズストッパ）
上に述べたように、本実施例の光ディスク装置は、好適には第一対物レンズストッパを有する。そこで次に、図１に戻って、第一対物レンズストッパについて説明する。
「第一対物レンズストッパ」０１０８は、対物レンズホルダに備えられ、対物レンズがディスクに異常接近した場合に、対物レンズプロテクタ板に当接するように構成されている。
【００２８】
第一対物レンズストッパの目的は、図６などに示した従来装置における対物レンズプロテクタの目的と基本的に同様であり、対物レンズの接触防止である。従って、従来装置における対物レンズプロテクタと同様に対物レンズの近傍部に対物レンズ面より高い突起状の部材として設けられる。ただし、従来装置における対物レンズプロテクタは、自身が対物レンズより先にディスクに接触することで対物レンズがディスクに接触しないようにし、対物レンズを保護していたのに対し、本実施例の装置における第一対物レンズストッパが接触するのは対物レンズプロテクタ板に対してであって、第一対物レンズストッパがディスクに接触することはない。このため、第一対物レンズストッパは、対物レンズを保護するだけでなく、ディスク表面に対物レンズに摺動付着痕を残留させないという点で従来装置の対物レンズプロテクタとは異なっている。本図は断面図であるため第一対物レンズストッパ０１０８が対物レンズ０１０１の両側に２個現れているが、このように第一対物レンズストッパは、対物レンズの周囲にこれを取り囲むように数個配置される。
【００２９】
あるいは、このように対物レンズホルダに突起状の部材である第一対物レンズストッパを備える代わりに、既に述べたようにかかる突起状の部材などを独立の部材として備えるようにしてもよい。あるいは、かかる突起状の部材を対物レンズプロテクタ板の側に備えるようにしてもよい。最後の例については、別の実施例にて説明する。
このように対物レンズプロテクタ板を設けたことで、対物レンズストッパ（対物レンズプロテクタ）の取付け位置のオプションも広がることとなった（従来装置では、対物レンズプロテクタは対物レンズホルダ側に備えるほかはなかった）。そこで、製作技術上の容易性や製作コストなどを考慮して適宜取付け位置を選択することが可能となる。例えば、対物レンズストッパを対物レンズホルダ側に設ける場合には、製作に際して対物レンズより高い位置に配置されているかどうかの確認が容易であると考えられる。一方、対物レンズストッパを対物レンズプロテクタ板側に設ける場合には、何らかの原因で対物レンズストッパが損傷した場合に対物レンズプロテクタ板だけを修理・交換すればよく対物レンズホルダやその周辺部材を修理・交換する必要がないので、コストの節約が可能であるといったことが考えられる。
【００３０】
なお、既に言及したように、第一対物レンズストッパは必ずしも備えられていなくてもよい。この場合、フォーカスサーボが外れて対物レンズがディスクに異常接近したときに対物レンズホルダが対物レンズプロテクタ板に接触することはあっても、対物レンズが対物レンズプロテクタ板に接触することはない。なぜなら、対物レンズプロテクタ板には既に述べたように対物レンズがディスクを直接見通すことができるための領域であって、対物レンズの直径よりも大きい穴が穿たれているためである。また、対物レンズがディスクに接触することがないようにすることも可能である。具体的には、対物レンズが対物レンズプロテクタ板の穴を通過してディスクに接触する前に対物レンズホルダが対物レンズプロテクタ板に接触してそれ以上は上に移動しないように設計することで可能である。また、対物レンズプロテクタ板とディスクとの隙間に微小な空気層が保たれているため対物レンズプロテクタ板とディスクが接触することがないことには変わりはない。そこで、このように第一対物レンズストッパを備えない構成であっても、やはりディスク表面には何らの痕跡も生じないこととなり、正常な記録・再生が何ら妨げられずに済む。
【００３１】
<効果>
本実施例の発明により、光ディスク装置において光ディスクの記録・再生中にフォーカスサーボが外れた場合、対物レンズだけでなく、対物レンズプロテクタなどの対物レンズを保護する部材も当該記録・再生中にはディスク表面に接触することがないようにして、対物レンズが傷ついたり、ディスク表面に対物レンズプロテクタの摺動付着痕が残留したりすることを回避し、もって光ディスクの記録・再生状態を劣化させないことを可能にした光ディスク装置を提供することが可能となる。
【実施例２】
【００３２】
<概要>
本実施例の光ディスク装置は、実施例１と基本的に共通する。ただし、本実施例の光ディスク装置は、対物レンズプロテクタ板が、対物レンズがディスクに異常接近した場合に、対物レンズホルダに当接するように構成された第二対物レンズストッパを有する。つまり、実施例１では、対物レンズストッパが備えられる場合にこれが対物レンズホルダ側に備えられたのに対し、本実施例では、これが対物レンズプロテクタ板側に備えらえる点に特徴がある。
【００３３】
<構成>
（光ディスク装置）
図４は、本実施例の光ディスク装置における対物レンズの支持機構の一例を示す概念図である。本実施例の光ディスク装置の構成は、基本的に図１に示した実施例１の装置の構成と共通するが、第一対物レンズストッパに代えて第二対物レンズストッパ０４０８を有する点が異なる。以下、第二対物レンズストッパの構成について説明する。その余の構成については実施例１と同様であるので説明を省略する。
【００３４】
（第二対物レンズストッパ）
第二対物レンズストッパは、対物レンズがディスクに異常接近した場合に、対物レンズホルダに当接するように構成されている。
第二対物レンズストッパを設ける目的は、実施例１の光ディスク装置において第一対物レンズストッパを設ける目的と同様である。従って、第二対物レンズストッパも対物レンズが異常接近した場合に対物レンズが対物レンズプロテクタ板に接触しないような位置に配置される。具体的には、仮に第二対物レンズストッパが存在せず対物レンズが対物レンズプロテクタ板に穿たれた対物レンズがディスクを直接見通すことができるための穴の位置まで移動したと仮定した場合における対物レンズ位置（以下「対物レンズ仮定位置」という）の近傍部に対物レンズ面より高い突起状の部材として設けられる。本図は断面図であるため第二対物レンズストッパ０４０８が上記対物レンズ仮定位置の両側に２個現れているが、このように第二対物レンズストッパは、対物レンズ仮定位置の周囲にこれを取り囲むように数個配置される。
【００３５】
図示は省略するが、図４に示した支持機構において、フォーカスサーボが外れた結果対物レンズがディスクに対して異常接近して第二対物レンズストッパが対物レンズホルダに当接した場合には、あたかも実施例１において図２に示したような第一対物レンズストッパが対物レンズプロテクタ板に接触した状態と見かけ上は同様の状態となる。そこで、ここでは便宜上図２を用いて、本実施例の装置においてフォーカスサーボが外れた際における光ディスク装置における対物レンズの支持機構の一例について説明する。
【００３６】
まず、図２に示されているのと同様に、本実施例でも対物レンズ０２０１とディスク０２０７との間に対物レンズプロテクタ板０２０９が設けられているため、対物レンズがディスクに異常接近しても対物レンズがディスクに接触することがない。この点は実施例１と同様である。また、フォーカスサーボが外れた状態となってもディスクが回転し続けているため、対物レンズプロテクタ板とディスクとの隙間には依然として微小な空気層が形成された状態が保たれ、対物レンズプロテクタ板とディスクが接触することもない点も実施例１と同様である。
この結果、本実施例においても、フォーカスサーボが外れた状態になってもディスクには何らの部材も接触することがないので、ディスク表面には何らの痕跡も生じないこととなり、正常な記録・再生が何ら妨げられずに済む。
【００３７】
（第二対物レンズストッパを備える対物レンズプロテクタ板の具体的形状の一例）
図５は、本実施例における対物レンズプロテクタ板の具体的形状の一例を示す斜視図である。このうち、（ａ）はディスク側（上方側）の斜め方向からみた状態を示し、（ｂ）対物レンズ側（下方側）の斜め方向から見た状態を示す。
図５（ｂ）に示すように、本実施例における対物レンズプロテクタ板０５０９の対物レンズ側（下方側）の面には、第二対物レンズストッパ０５０８が備えられている。本図の例では対物レンズ仮定位置（本図では概ね略中央部に対物レンズがディスクを直接見通すことができるために穿たれた穴０５０９ａの位置に現れる）の近傍部に対物レンズ仮定位置を取り囲むようにして、対物レンズ面より高い突起状の部材である第二対物レンズストッパが４個配置されている。
【００３８】
<効果>
本実施例の発明により、実施例１で述べた対物レンズストッパ（対物レンズプロテクタ）の取付け位置のオプションをさらに広げることが可能となる。また、何らかの原因で対物レンズストッパが損傷した場合に対物レンズプロテクタ板だけを交換すればよくコストの節約を行うことが可能となる。
【図面の簡単な説明】
【００３９】
【図１】実施例１の光ディスク装置における対物レンズの支持機構の一例を示す概念図
【図２】実施例１の光ディスク装置における対物レンズの支持機構の一例を示す概念図
【図３】実施例１における対物レンズプロテクタ板の具体的形状の一例を示す斜視図
【図４】実施例２の光ディスク装置における対物レンズの支持機構の一例を示す概念図
【図５】実施例２における対物レンズプロテクタ板の具体的形状の一例を示す斜視図
【図６】従来の光ディスク装置における対物レンズの支持機構の一例を示す概念図
【図７】従来の光ディスク装置における対物レンズの支持機構の一例を示す概念図
【図８】本発明の光ディスク装置の支持機構の具体的形状の一例を示す図
【符号の説明】
【００４０】
０１０１      対物レンズ
０１０２      対物レンズホルダ
０１０３      ハウジング
０１０４      弾性支持部材
０１０５      マグネット
０１０６      コイル
０１０７      光ディスク
０１０８      第一対物レンズストッパ
０１０９      対物レンズプロテクタ板
０４０８      第二対物レンズストッパ
【図１】
2010092538.tif 000003
【図２】
2010092538.tif 000004
【図３】
2010092538.tif 000005
【図４】
2010092538.tif 000006
【図５】
2010092538.tif 000007
【図６】
2010092538.tif 000008
【図７】
2010092538.tif 000009
【図８】
2010092538.tif 000010